(57)【特許請求の範囲】
【請求項１】
上縁部（３）にフランジが付された蓋を有する非円形の容器のための、底面および平面図で見て非円形の側壁から構成されている金属性容器ユニットであって、
前記側壁（２）が、平面図でみて、真っ直ぐなまたは弱めに湾曲された領域と、該領域に比較して強めに湾曲された領域と、から構成されており、且つ、第一の肩部（１ａ）と第二の肩部（１ｂ）から構成されている肩部を備えており、
第一の肩部（１ａ）は前記真っ直ぐなまたは弱めに湾曲された領域の少なくとも一部に、第二の肩部（１ｂ）は前記強めに湾曲された領域内に、それぞれ配置されており、且つ、
第一の肩部（１ａ）が第二の肩部（１ｂ）よりも容器の上縁部（３）に対して近くに配置されており、且つ、第一の肩部（１ａ）が移行部（８）を介して第二の肩部（１ｂ）に移行しており、これにより第一の肩部（１ａ）と第二の肩部（１ｂ）とが互いに結合されており、且つ、
第一の肩部（１ａ）および第二の肩部（１ｂ）が、側壁（２）を、断面で見て且つ下から上に表示して、最初に円弧状に外方へ導き、次いで真っ直ぐな部分を形成することなく、円弧状に内方へ導くことにより形成されている、容器ユニット。
【請求項２】
第一の肩部（１ａ）が存在する領域の少なくとも部分的領域内において、側壁（２）が、側面図で見て、基本的に垂直に延びる側部波状起伏を有する、請求項１による容器ユニット。
【請求項３】
側部波状起伏が、平面図で見て、湾曲、円形、楕円形、三角形、台形、または多角形の輪郭を有する、請求項２による容器ユニット。
【請求項４】
側部波状起伏が、第一の肩部（１ａ）の高さで終わっている、請求項２または３のいずれか一による容器ユニット。
【請求項５】
側部波状起伏が、第一の肩部（１ａ）と第二の肩部（１ｂ）の間で終わっている、請求項２または３のいずれか一による容器ユニット。
【請求項６】
側部波状起伏が、第二の肩部（１ｂ）の高さで終わっている、請求項２または３のいずれか一による容器ユニット。
【発明の詳細な説明】
本発明は、上縁部にフランジが付された蓋を有し、その側壁が１個の肩部を備えている、非円形の湾曲を備えた容器のための金属製容器ユニットに関する。
積み重ねた状態から取り外し可能な容器ユニットは、久しい以前から公知である。従って、米国特許第３２３３８１２号明細書には、積み重ねることが出来、且つその側壁が隅部に支持用肩部を備えているセルロース容器が公開されている。
米国特許第４３６６６９６号明細書は、円錐形の缶体を開示している。この缶体は、縁部分に三つの湾曲部を備えている。ここで、下方から上方に表示して（且つ断面で見て）、第一の湾曲部は、第一の半径で、側壁に凸状形状を与えており、そして、第二の湾曲部は、第二の半径で、側壁に凹状形状を与えている。第三の湾曲部は、側壁を再び凸状に、外方へと導いており、この最後の湾曲部の半径は、他の２つの湾曲部の半径よりも、本質的に大きくなっている。同文献によれば、上記構成により、表面が滑らかであり、そして、積重ねた状態からの取り外しが良好になる輪郭（プロフィール）が形成され、且つ積重ねられた缶体は、選択的に設定された間隔を有すると記載されている。
更に、米国特許第４３６６６９６号明細書は、底部と側壁が統合された二部分から成る缶が優れた構造を示しており、これがフランジ縁部（機械的ビード）の漏損の問題を解決する、と言及している。但し、上記文献に示されている缶は、以下の不利な点を有している。すなわち、上述した湾曲部（複数形）によって形成された「肩部」が、側壁の上縁端から下側に、比較的ゆとりのない状態で設けられた場合には、「積重状態」は密になり、従って、積重状態から取外す時に、（挟まって動かなくなるというような）問題が生じる。この一方で、「肩部」がより深い位置に設けられた場合には、フランジング（フランジを付すこと又はクリンピング）の際の安定性が十分なものでなくなり、欠陥を有するフランジ縁部が生ずることもあり得る。
本発明の課題は、一方においては、積み重ねと、積み重ねた状態からの取り外しを良好に行なうことができ、そして、他方では、フランジへの「覆付」が良好であるために、蓋をフフンジングするために、特に適切な形状を有する非円形の容器のための容器ユニットを作り出すことである。
積み重ね状態からの取り外しが良好であり、これに加え蓋をフランジングする時に、その安定性が良好である容器ユニットが、
上縁部（３）にフランジ付された蓋を有する非円形の容器のための、底面および平面図で見て非円形の側壁から構成されている金属性容器ユニットであって、
前記側壁（２）が、平面図でみて、真っ直ぐなまたは弱めに湾曲された領域と、該領域に比較して強めに湾曲された領域と、から構成されており、且つ、第一の肩部（１ａ）と第二の肩部（１ｂ）から構成されている肩部を備えており、第一の肩部（１ａ）は前記真っ直ぐなまたは弱めに湾曲された領域の少なくとも一部に、第二の肩部（１ｂ）は前記強めに湾曲された領域内に、それぞれ配置されており、且つ、第一の肩部（１ａ）が第二の肩部（１ｂ）よりも容器の上縁部（３）に対して近くに配置されており、且つ、第一の肩部（１ａ）が移行部（８）を介して第二の肩部（１ｂ）に移行しており、これにより第一の肩部（１ａ）と第二の肩部（１ｂ）とが互いに結合されており、且つ、第一の肩部（１ａ）および第二の肩部（１ｂ）が、側壁（２）を、断面で見て且つ下から上に表示して、最初に円弧状に外方へ導き、次いで真っ直ぐな部分を形成することなく、円弧状に内方へ導くことにより形成されている、容器ユニット、
によって達成されることが見出されたのは驚くべきことであった。肩部の上記の配置と形状は、平面図において真っ直ぐか或いはわずかに湾曲されている容器領域内においても、剛性が十分に高く、その結果、フランジングの際に、壁部に伝達されるフランジング用工具の力が、容器の変形をもたらさないことを保証するのである。
第二の肩部に対する第一の肩部の合流点は、任意にこれを形成することが出来る。それ故、例えば、第一の肩部を第二の肩部へと円弧状に導くこともできる。
以下、本発明を、実施例を記載した図面を基にして詳細に説明すれば、次の通りである。
図１は、互いに重ね合わされた二つの容器ユニット６、６’の側方縁部２を示す。双方の容器ユニット６、６’の各々については、第一の肩部１ａを備えた側方縁部、および第二の肩部１ｂを備えた側方縁部が、上下に置かれて記載されている。この場合には、第一の肩部１ａを備えた側方縁部は、黒色で引かれた帯として表示されており、第二の肩部１ｂは、塗りつぶされていない部分として記載されている。はっきりと識別可能なことは、肩部１ａはもとより、肩部１ｂも、側壁が、断面で見て且つ下から上に表示して、最初に円弧状に外方へ、次いで円弧状に内方へ導かれることによって形成されることである。更に識別できることは、肩部１ｂの下方で終わる側部波状起伏４の幾何学的形状である。
図２は、本発明による容器ユニットの一部を側面図で示す。床面５は、軽く外方に傾斜した側壁２に一体となって移行している。平面図で見て、直線かまたは軽くわずかに湾曲した容器の部分領域を記載した図の左側部分には、第一の肩部１ａが配置されており、他方の右側部分には、（平面図では著しく湾曲して）第二の肩部１ｂを見ることが出来るが、これは第一の肩部１ａよりも、容器の上縁部３に近くない。肩部１ｂの高さの上方で終わる側部波状起伏を備えた領域は、肩部１ａを備えた領域の末端までは延びていない。側壁は、第二の肩部１ｂの上方（高さ方向の上方）に、部分２ａ、２ｂ、２ｃを持っており、そして、肩部１ａ、１ｂの上部分２ａ、２ｂは、側壁２の他の部分と比較して、外方向への傾斜が弱くなっている。側部波状起伏４を含む領域は、肩部１ａを有する領域の末端部までは延びておらず、そして、側部波状起伏４は、第２の肩部１ｂよりも下側で延びている。双方の肩部１ａ、１ｂの相互間の移行部８は、小さな円弧を描いて延びている。
図３は、図２の一部を拡大して示したものであって、１個の側部波状起伏４を示すものである。符号７は、１８０°からわずかだけ逸脱した鈍角の角度によって、側壁２の中に形成される縁部を示す。
図４から６までは、更なる実施形態を示すものであって、波状起伏４の出口部の形状と高さ以外は同一である。
図７から９は、側部波状起伏４が肩部１ａの高さのわずかに下まで導かれている、今一つの実施形態を示す。
図８は、波状起伏４が、肩部１ａの高さで終了する一つの実施形態を示す。
本発明は、正確な円形が存在しない限りにおいて、平面図で少なくとも１個の湾曲を有するすべての容器ユニットに適している。とりわけ、これには、魚入れ用の容器ユニット、或いは多少は強く丸められた隅部を有する容器ユニットのように、楕円形またはその他の形状で長く延ばされ、且つ隅部が丸められている容器ユニットが該当する。
当該容器ユニットは、蓋と一緒にフランジを付するために適しているという前提条件で、任意の材料から製造することが出来る。これには、例えばあらゆる種類の板または被覆された金属が当てはまるが、プラスチック、または天然材料から製造される、場合によっては、相応に修正され、または表面加工がなされ、或いは被覆がなされた材料も該当する。
本発明による容器ユニットの底部は、必要に応じて任意に形成することが出来る。例えば、それは、平らな型にすることもでき、凹型または凸型にすることもできる。底部は側壁に移行してゆき、双方の部分を一体とすることが出来、或いはフランジ継手または溶接継手、または多数の部分から成るその他の方法で接続することも出来る。側壁は、上方に垂直に延びることが出来、或いは多少は外方に弱めに傾斜させることもできる。
容器ユニットの形状の結果として、容器ユニットは、平面図で見て強く湾曲された領域と、弱めに湾曲された領域、または長く延ばされた領域を持っている。例えば楕円形の普通の魚入れは、開閉領域とその向かい側において、たいていは部分的に真っ直ぐに延びている開閉領域とその向かい側との間に存在する領域においてよりも、強く湾曲されている。丸められた隅部を有する４辺の缶は、４つの強く湾曲された領域を持っているが、その間に存在する領域は真っ直ぐである。本発明による容器ユニットは、上記の真っ直ぐな、または弱めに湾曲された領域の少なくとも一部において、容器の上縁部に対して相対的に近くに配置されている第一の肩部を持っている。更に強く湾曲された領域においては、積み重ねおよび取り外しのための支持用肩部として使用することが出来る、第二の肩部が延びている。第一の肩部は、例えば、上縁部から第二の肩部の距離までの３０％から５０％の間の距離を置いて容器の上縁部に対して配置することが出来る。当然のことながら、必要に応じてその他の寸法にすることも可能である。
第一の肩部が存在する領域の少なくとも部分領域において、側壁は、有利な形で追加として波状起伏を持っている。この波状起伏は、側面図においては、基本的に垂直に延びて、壁部の傾斜に続くべきものである。側部波状起伏は、平面図で、任意の形状を有することが出来る。これらの側部波状起伏は、例えば湾曲された、円形の、楕円形の、三角形の、台形の、または多角形の輪郭を備えることが出来る。側部波状起伏は、第二の肩部の高さで終わることが出来るが、有利な形で双方の肩部の間の半分の高さで、または上部の第一の肩部の高さで終わっている。側部波状起伏を第二の肩部の高さを超えて引き上げることによって、壁部の剛性が改善され、その結果として、上縁部の下方に相対的に短く配置された第一の肩部およびその形状と協力して、長く延びている領域、または弱めに湾曲された領域内で、蓋のフランジにおいて、双方の部分領域の重なり合いが、従来公知であった容器ユニットの場合よりも、更に優れた形で確実にうまく行くことが確保されるのである。
すでに前で述べたように、側壁が、断面で見て、且つまた下から上に表示して、始めは円弧状に外方へ、次いで円弧状に内方へ導かれることによって、双方の肩部が形成される。この場合に使用される双方の半径は、同一または異なるものにすることが出来る。特別な実施形態においては、側壁を外方に導いている第一の円弧部分は、第二の部分よりも小さな円弧部分を示している。その結果、肩部の上の側壁は、肩部の下の側壁よりも外方に対して小さな傾斜を持っている。側壁の下方の部分領域が、ほんのわずかだけ外方に傾斜しているときは、肩部の上方に存在する、上記の側壁の部分領域は、例えば底面に対して垂直に形成することも出来るのである。
特に有利な実施形態においては、側壁が、平面図で見て、長く延びた領域、または他の部分領域と比較して弱めに湾曲された領域において、第二の肩部の高さで、１８０°よりもほんのわずかに小さな鈍角で、内方に角度を付されている。
平面図で見て、容器がこの位置において、強く、または弱めに湾曲されているか、またはまったく湾曲されていないかどうかとは無関係に、第一の肩部と第二の肩部との間の高さで、側壁が、側壁の下方領域に対して、或いは底面に対して、一定の角度を有するように、第二の肩部の半径および長さの選定、およびこの肩部の高さに存在する鈍角の選定が、第二の肩部が存在しない領域において、相互に合わせられていることは、特に有利である。
上記の実施形態は、当然のことながら、場合によっては存在するかも知れない側部波状起伏とは無関係に行われている。波状起伏が存在する結果として、この波状起伏が存在する場合に、側壁が内方に引っ込んでいる場所において、幾何学的形状が変形されることは明らかである。
【図１】
0004139438.tif 000002
【図３】
0004139438.tif 000003
【図２】
0004139438.tif 000004
【図４】
0004139438.tif 000005
【図６】
0004139438.tif 000006
【図５】
0004139438.tif 000007
【図７】
0004139438.tif 000008
【図９】
0004139438.tif 000009
【図８】
0004139438.tif 000010